(57)【要約】      （修正有）【課題】下框の高さ方向の寸法を小さくすることが可能であり且つ強度の高い障子を提供する。【解決手段】上框、下框４２、召合せ框４３及び戸先框により框組された框体４０と、框体に嵌め込まれるガラスパネル４５と、を備える障子４であって、召合せ框４３は、縦方向に延びる召合せ框本体４３１と、召合せ框本体４３１から見付方向内側に延出してガラスパネル４５を支持する支持部４３５と、を有する。また、支持部４３５は、召合せ框本体４３１の下端に取り付けられた第１のアングル７１により構成される。【選択図】図４
2016160625.tif 000002
【特許請求の範囲】
【請求項１】
上框、下框及び左右の縦框により框組された框体と、該框体に嵌め込まれる面材と、を備える障子であって、
前記縦框は、縦方向に延びる縦框本体部と、該縦框本体部から見付方向内側に延出して前記面材を支持する支持部と、を有する障子。
【請求項２】
前記支持部は、前記縦框本体部の下端に取り付けられた第１金具により構成される請求項１記載の障子。
【請求項３】
前記第１金具は、第１のアングルであり、
前記第１のアングルは、一辺が前記縦框本体部の下端の見込面に取り付けられ、他辺が前記下框の上面に取り付けられて前記面材の下端面から前記面材を支持する請求項２記載の障子。
【請求項４】
前記縦框は、前記縦框本体部の上端に取り付けられた第２のアングルを更に備え、
前記第２のアングルは、一辺が前記縦框本体部に取り付けられ、他辺が前記上框の上面に取り付けられる請求項３記載の障子。
【請求項５】
前記下框と前記面材の下端面との間には、空間が形成される請求項１から４いずれか記載の障子。
【請求項６】
建物の開口部に設けられ、上枠、下枠及び左右の縦枠により枠組みされる枠体と、
該枠体内に納められる請求項１から５いずれか記載の障子と、を備える建具。
【発明の詳細な説明】
【技術分野】
【０００１】
本発明は、障子及び建具に関する。
【背景技術】
【０００２】
従来、建具において、上框、下框及び左右の縦框によって框組された框体にガラス等の面材を嵌め込んだ障子が用いられている。框体に面材を嵌め込む場合、下框が面材の荷重を支えることになるので、下框が面材の荷重によって反ってしまわないように、下框の高さ方向の寸法を大きくして障子の強度を上げる必要がある（例えば、特許文献１参照）。
【先行技術文献】
【特許文献】
【０００３】
【特許文献１】特開２００４−２０４６７２号公報
【発明の概要】
【発明が解決しようとする課題】
【０００４】
このように、障子の強度を上げるために下框は高さ方向の寸法を大きくする必要がある一方で、障子の下框は意匠性の観点から高さ方向の寸法を小さくすることが求められている。また、框体にガラスを嵌め込む場合には、下框も含む框の高さ方向の寸法をできる限り小さくして、障子の採光面積を広くすることが求められる。
【０００５】
本発明は、下框の高さ方向の寸法を小さくすることが可能であり且つ強度の高い障子を提供することを目的とする。
【課題を解決するための手段】
【０００６】
本発明は、上框（例えば、後述の上框４１）、下框（例えば、後述の下框４２）及び左右の縦框（例えば、後述の召合せ框４３及び戸先框４４）により框組された框体（例えば、後述の框体４０）と、該框体に嵌め込まれる面材（例えば、後述のガラスパネル４５）と、を備える障子（例えば、後述の障子４）であって、前記縦框は、縦方向に延びる縦框本体部（例えば、後述の召合せ框本体４３１）と、該縦框本体部から見付方向内側に延出して前記面材を支持する支持部（例えば、後述の支持部４３５）と、を有する障子に関する。
【０００７】
本発明では、障子の縦框が、縦方向に延びる縦框本体部と、縦框本体部から見付方向内側に延出して面材を支持する支持部と、を有するものとする。
これにより、支持部を介して、下框ではなく縦框によって面材の荷重を支えることができる。従って、障子の強度を向上させつつ、下框の高さ方向の寸法を小さくすることができる。また、下框の高さ方向の寸法を小さくすれば、障子の意匠性や採光性を向上させることができる。
【０００８】
また、前記支持部は、前記縦框本体部の下端に取り付けられた第１金具（例えば、後述の第１のアングル７１）により構成されることが好ましい。
【０００９】
また、前記第１金具は、第１のアングル（例えば、後述の第１のアングル７１）であり、前記第１のアングルは、一辺（例えば、後述の一辺７１１）が前記縦框本体部の下端の見込面に取り付けられ、他辺（例えば、後述の他辺７１２）が前記下框の上面に取り付けられて前記面材の下端面から前記面材を支持することが好ましい。
【００１０】
また、前記縦框は、前記縦框本体部の上端に取り付けられた第２のアングル（例えば、後述の第２のアングル７２）を更に備え、前記第２のアングルは、一辺（例えば、後述の一辺７２１）が前記縦框本体部に取り付けられ、他辺（例えば、後述の他辺７２２）が前記上框の上面に取り付けられることが好ましい。
【００１１】
また、前記下框と前記面材の下端面との間には、空間（例えば、後述の空間７１７）が形成されることが好ましい。
【００１２】
また、本発明は建物の開口部（例えば、後述の開口部１０）に設けられ、上枠（例えば、後述の上枠２１）、下枠（例えば、後述の下枠２２）及び左右の縦枠（例えば、後述の縦枠２３，２３）により枠組みされる枠体（例えば、後述の枠体２）と、該枠体内に納められる前記障子と、を備える建具（例えば、後述の引戸１）に関する。
【発明の効果】
【００１３】
本発明によれば、下框の高さ方向の寸法を小さくすることが可能であり且つ強度の高い障子を提供することができる。
【図面の簡単な説明】
【００１４】
【図１】本発明の一実施形態に係る障子を備える引戸の正面図である。
【図２】上記引戸の縦断面図である。
【図３】上記引戸の横断面図である。
【図４】上記実施形態に係る障子の下端側における部材の配置を模式的に示す正面図である。
【図５】上記実施形態に係る框体における部材の配置を模式的に示す正面図である。
【発明を実施するための形態】
【００１５】
以下、本発明の実施形態について、図面を参照しながら詳しく説明する。なお、本明細書において、「見付方向」とは、建物に形成された開口部に納められた引戸の上枠、下枠の長手方向（すなわち、ガラスや障子の面内水平方向）を意味し、「見込方向」とは、屋内外方向（すなわち、奥行き方向）を意味する。
【００１６】
図１は、本発明の実施形態に係る障子４の備える引戸１を屋内側から見た正面図である。引戸１は、例えば住宅の壁１００に形成された開口部１０に納められる。
引戸１は、建物の開口部１０に取り付けられる枠体２と、枠体２内の左右方向の中心に配置されて固定される中心側ＦＩＸ部３と、中心側ＦＩＸ部３の見付方向外側の枠体２内に配置され且つ外側にスライド可能な障子４，４と、障子４の見付方向外側の枠体２内に配置されて固定される外側ＦＩＸ部５，５と、を備える。また、開口部１０の左右で、見付方向において外側ＦＩＸ部５，５と重複する位置には、障子４，４が収納される戸袋１０１，１０１が形成される。このように引戸１は、左右対称に構成される。なお、図１は、障子４，４が閉鎖された状態を示す。
【００１７】
枠体２は、上枠２１と、下枠２２と、左右の縦枠２３，２３と、により矩形に枠組みされる。枠体２を構成する上枠２１、縦枠２３，２３は、屋内側からは壁１００に覆われる。また、枠体２を構成する下枠２２は、床面１０２よりも下に配置される。
【００１８】
中心側ＦＩＸ部３は、中心側ＦＩＸ部枠体３０と、中心側ＦＩＸ部枠体３０の内部に嵌め込まれるガラスパネル３５と、を備える。中心側ＦＩＸ部枠体３０は、上材３１と、下材３２と、縦材３３，３３と、を枠組みすることで構成される。中心側ＦＩＸ部枠体３０を構成する上材３１は、屋内側からは壁１００に覆われる。また、中心側ＦＩＸ部枠体３０を構成する下枠２２は、床面１０２よりも下に配置されるので、屋内側から視認できない。更に、縦材３３は、障子４，４が閉鎖された状態においては、屋内側からは後述する戸先框４４によって覆われる。
【００１９】
障子４は、框体４０の内部に嵌め込まれる面材としてのガラスパネル４５と、を備える。框体４０は、上框４１と、下框４２と、召合せ框４３と、戸先框４４と、を框組みすることで構成される。框体４０を構成する上框４１及び召合せ框４３は、屋内側からは壁１００に覆われる。また、框体４０を構成する下框４２は、床面１０２よりも下に配置されるので、屋内側から視認できない。
なお、框体４０（障子４）の四隅の内部には、後段で詳述する正面視でＬ字形状の第１のアングル７１及び第２のアングル７２が配置される。
【００２０】
外側ＦＩＸ部５は、屋内側から見て全面が壁１００に覆われる。外側ＦＩＸ部５は、外側ＦＩＸ部枠体５０と、外側ＦＩＸ部枠体５０の内部に嵌め込まれるガラスパネル５５と、を備える。外側ＦＩＸ部枠体５０は、上材５１と、下材５２と、見付方向外側の縦材５３と、見付方向内側の縦材５４と、を枠組みすることで構成される。
【００２１】
図２は、引戸１の縦断面図であって、図１のＡ−Ａ線断面図である。
図２に示すように、面材としてのガラスパネル４５は、屋内側の板ガラス４５１と屋外側の板ガラス４５２とを、スペーサ４５３を介在させることによって所定の間隔を開けて配置した複層ガラスパネルである。
【００２２】
上枠２１は、屋外側に配置され且つ中空部を有するホロー構造である上枠本体２１１と上枠本体２１１の屋内側に固定されるレール部材２１２と、を備える。上枠本体２１１は、締結部材２１３，２１４によって壁１００に固定される。レール部材２１２は、締結部材２１５によって上枠本体２１１に固定される固定部２１６と、固定部２１６の下端から屋内側に延出するレール部２１７と、を備える。
上枠本体２１１及びレール部材２１２は、例えば、アルミニウムを押し出し成型することによって形成することができる。
【００２３】
上框４１は、レール部２１７の上方に配置され回動可能な戸車部材４１１と、戸車部材４１１の屋内側に係合される上框本体４１２と、を備える。戸車部材４１１には、屋内側に被係合部４１３が形成される。上框本体４１２は、下側に開口する溝を形成する溝部４１４と、溝部４１４の屋内側から上方に延出する延出部４１５と、を備える。延出部４１５の先端には、被係合部４１３に係合する係合部４１６が形成される。
上框本体４１２は、例えば、アルミニウムを押し出し成型することによって形成することができる。
【００２４】
ガラスパネル４５の上端部は、溝部４１４内において、バックアップ材４１７，４１７によって挟まれる。更にバックアップ材４１７，４１７の下方には、シール材４１８，４１８が塗工される。
なお、上枠２１及び上框４１の屋内側には、障子４の走行を補助するリニアモータ駆動装置４６が配置される。
【００２５】
下框４２は、上側に開口する溝の形成された部材である。下框４２は、例えば、アルミニウムを押し出し成型することによって形成することができる。
ガラスパネル４５は、下框４２の内部に配置される第１のアングル７１によって支持される。また、第１のアングル７１とガラスパネル４５との間には、弾性部材７１６が配置される。ガラスパネル４５の下端部は、下框４２内において、バックアップ材４２３，４２３によって挟まれる。更にバックアップ材４２３，４２３の上方には、シール材４２４，４２４が塗工される。
【００２６】
下枠２２は、下枠本体２２１と、溝塞ぎ部材２２２と、押さえ部材２２３を備える。下枠本体２２１は、障子４の下側に配置される下側部材２２４と、下側部材２２４の屋外側に配置される屋外側部材２２５と、下側部材２２４の屋内側に配置される屋内側部材２２６と、を備えて構成される。屋外側部材２２５の屋内側には、気密材２２０が配置される。
【００２７】
下枠本体２２１には、上向きに開口し且つ前記障子４が走行可能な溝２２７が形成される。溝塞ぎ部材２２２は、下枠本体２２１内に配置される。溝塞ぎ部材２２２は、障子４が閉鎖された状態において、障子４（下框４２）よりも屋内側に配置される。溝塞ぎ部材２２２は、その屋外側の先端に気密材としてのモヘア部材２２８と、下側に固定されることで溝塞ぎ部材２２２の本体の下端と下枠本体２２１との間に空間を形成するスペーサ２２９と、を備える。
【００２８】
図２に示すように、障子４が閉鎖された状態において、床面１０２、下枠２２の上面及び下框４２の上部は、面一になるように構成される。
【００２９】
図３は、引戸１の横断面図であって、図１のＢ−Ｂ線断面図である。
図３に示すように、ガラスパネル３５及びガラスパネル５５も、ガラスパネル４５と同様に、２枚の板ガラスを、スペーサを介在させることによって所定の間隔を開けて配置した複層ガラスパネルである。具体的には、ガラスパネル３５は、板ガラス３５１と板ガラス３５２との間にスペーサ３５３を介在させた複層ガラスパネルであり、ガラスパネル５５は、板ガラス５５１と板ガラス５５２との間にスペーサ５５３を介在させた複層ガラスパネルである。
【００３０】
縦枠２３は、壁１００の開口部１０側に固定される。
縦材５３は、縦枠２３に締結部材５３４によって固定され且つ中空部を有するホロー構造である屋外側縦材５３１と、屋外側縦材５３１の屋内側に樹脂材５３５を介して連結され且つ中空部を有するホロー構造である屋内側縦材５３２と、屋外側縦材５３１の屋外側に固定される表面材５３３と、を備える。
【００３１】
屋外側縦材５３１及び屋内側縦材５３２は、例えば、アルミニウムを押し出し成型することによって形成することができる。
ガラスパネル５５の見付方向外側の端部は、屋外側縦材５３１及び屋内側縦材５３２によって形成される溝の内部に配置される。
【００３２】
縦材５４は、中空部を有するホロー構造であり、見付方向外側（図４の左側）に開口した溝を形成する。縦材５４は、屋外側に形成される外煙返し部５４１を備える。外煙返し部５４１は、上下に亘って通しで延びて形成される。縦材５４は、例えば、アルミニウムを押し出し成型することによって形成することができる。
ガラスパネル５５の見付方向内側（図４の右側）の端部は、縦材５４によって形成される溝の内部に配置される。
【００３３】
召合せ框４３は、縦材５４の屋内側に配置される。召合せ框４３は、縦方向に延びる召合せ框本体４３１を有する。召合せ框本体４３１は、見付方向内側に向けて開口する溝の形成された溝部４３２と、溝部４３２よりも屋外側に設けられた内煙返し部４３３と、溝部４３２よりも屋内側に設けられた屋内部４３４と、を有する。内煙返し部４３３は、上下に亘って通しで延び且つ見付け方向において外煙返し部５４１と重複するラップ代を有するように形成される。屋内部４３４は、中空部を有するホロー構造である。図４に示すように、障子４が閉鎖された状態において、屋内部４３４の見付方向内側の面は、壁１００の屋内側の開口部１０側の面と、面一となるように構成される。
【００３４】
召合せ框本体４３１は、例えば、アルミニウムを押し出し成型することによって形成することができる。
ガラスパネル４５の見付方向外側の端部は、溝部４３２によって形成される見付方向内側に開口する溝の内部に配置される。
【００３５】
戸先框４４は、縦方向に延びる戸先框本体４４１と、化粧カバー４４２と、を有し、断面Ｌ字状に形成される。戸先框本体４４１は、見付方向外側に開口する溝部４４３と、溝部４４３の屋内側に配置され且つ中空部を有するホロー構造である屋内部４４４と、を備える。化粧カバー４４２は、屋内部４４４の見込面及び屋内側の面を覆うように配置される、断面Ｃ字状の部材である。
【００３６】
戸先框本体４４１は、例えば、アルミニウムを押し出し成型することによって形成することができる。
ガラスパネル４５の見付方向内側の端部は、溝部４４３によって形成される見付方向外側に開口する溝の内部に配置される。
【００３７】
縦材３３は、障子４が閉鎖された状態において障子４の戸先側（見付方向内側）に当接する。縦材３３は、見付方向内側に開口した溝の形成された縦材本体３３１と、縦材本体３３１から障子側に突出する突出部３３２と、を備える。縦材本体３３１は、中空部を有するホロー構造である。縦材本体３３１は、屋内部４４４の屋外側に配置され、障子４が閉鎖された状態において溝部４４３の見付方向の先端と突き合わされる。突出部３３２は、障子４と左右方向（障子４の走行方向）で重複する。
【００３８】
戸先框４４及び縦材３３は、障子４が閉鎖された状態において、断面が略矩形状に形成される。縦材本体３３１は、例えば、アルミニウムを押し出し成型することによって形成することができる。
ガラスパネル３５の端部は、縦材本体３３１によって形成される溝の内部に配置される。
なお、図３に示すように、溝塞ぎ部材２２２は、障子４が閉鎖された状態において、屋内部４３４の下から屋内部４４４の下まで見付方向（左右方向）に延びて設けられる。
【００３９】
続いて、框体４０及び障子４の構造の詳細について説明する。
図４は、障子４の下端側における部材の配置を模式的に示す正面図である。また、図５は、框体４０における部材の配置を模式的に示す正面図である。図４及び図５においては、框体４０の召合せ框４３側の構成を示す。図４においては、障子４の縦断面図及び横断面図も示す。図５においては、上框４１及び下框４２の縦断面図並びに召合せ框４３の横断面図も示す。
【００４０】
なお、戸先框４４側におけるガラスパネル４５を支持する構造は、召合せ框４３側におけるガラスパネル４５を支持する構造と同様であるので、図４及び図５では図示せずに説明を省略する。また、図４の縦断面図においては、バックアップ材４２３，４２３及びシール材４２４，４２４を図示しない。
【００４１】
図４に示すように、召合せ框４３は、召合せ框本体４３１から見付方向内側に延出してガラスパネル４５を支持する支持部４３５を更に有する。支持部４３５は、召合せ框本体４３１の下端に取り付けられた第１金具としての第１のアングル７１により構成される。第１のアングル７１は、鉛直方向に延びる一辺７１１が召合せ框本体４３１（溝部４３２）の下端の見込面に取り付けられ、水平方向に延びる他辺７１２が下框４２の上面に取り付けられてガラスパネル４５の下端面からガラスパネル４５を支持する。一辺７１１は、締結部材７１３によって召合せ框本体４３１に固定される。また、下框４２は、締結部材７１４によって第１のアングル７１の他辺７１２に固定される。
【００４２】
更に、ガラスパネル４５が傷ついたり割れたりするのを防ぐため、ガラスパネル４５の側端面と第１のアングル７１の一辺７１１との間には、弾性部材７１５が配置され、ガラスパネル４５の下端面と第１のアングル７１の他辺７１２との間には、弾性部材７１６が配置される。第１のアングル７１の他辺７１２は、弾性部材７１６を介してガラスパネル４５を支持する。これにより、下框４２とガラスパネル４５の下端面との間には、空間７１７が形成される。
【００４３】
図５に示すように、召合せ框４３は、召合せ框本体４３１の上端から見付方向内側に延出する延出部４３６を更に有する。延出部４３６は、召合せ框本体４３１の上端に取り付けられた第２金具としての第２のアングル７２により構成される。第２のアングル７２は、鉛直方向に延びる一辺７２１が召合せ框本体４３１（溝部４３２）の上端の見込面に取り付けられ、水平方向に延びる他辺７２２が上框４１（溝部４１４）の上面に取り付けられる。一辺７２１は、締結部材７２３によって召合せ框本体４３１に固定される。また、他辺７２２は、締結部材７２４によって上框４１に固定される。
【００４４】
本発明の実施形態によれば、以下の効果が奏される。
（１）上記実施形態では、障子４の縦框である召合せ框４３（及び戸先框４４）が、縦方向に延びる召合せ框本体４３１と、召合せ框本体４３１から見付方向内側に延出してガラスパネル４５を支持する支持部４３５と、を有するものとした。
これにより、下框４２ではなく、支持部４３５を介して縦框である召合せ框４３（及び戸先框４４）によってガラスパネル４５の荷重を支えることができる。従って、障子４の強度を向上させつつ、下框４２の高さ方向の寸法を小さくすることができる。また、下框４２の高さ方向の寸法を小さくすれば、障子４の意匠性や採光性を向上させることができる。
【００４５】
なお、樹脂や金属で構成される框よりも複層ガラスパネルは断熱性が高いので、ガラスパネル４５の開口面積を広くすれば、障子４としての断熱性が向上する。
【００４６】
（２）上記実施形態では、支持部４３５が、召合せ框本体４３１かの下端に取り付けられた第１金具としての第１のアングル７１により構成されるものとした。
召合せ框本体４３１とは別部材の金具によって支持部４３５を構成できるので、容易に障子４の強度を向上させることができる。
【００４７】
（３）上記実施形態では、第１のアングル７１が、一辺７１１が召合せ框本体４３１の下端の見込面に取り付けられ、他辺７１２が下框４２の上面に取り付けられてガラスパネル４５の下端面からガラスパネル４５を支持するものとした。
第１のアングル７１の、一辺７１１を召合せ框本体４３１に取り付け、他辺７１２を下框４２の上面に取り付けるので、支持部４３５の形成と下框４２の配置をより容易に行うことができる。
【００４８】
（４）上記実施形態では、縦框である召合せ框４３（及び戸先框４４）が、召合せ框本体４３１の上端に取り付けられた第２のアングル７２を更に備えるものとした。そして、第２のアングル７２が、一辺７２１が召合せ框本体４３１に取り付けられ、他辺７２２が上框４１の上面に取り付けられるものとした。
これにより、ガラスパネル４５の荷重を、支持部４３５並びに縦框である召合せ框４３（及び戸先框４４）を介して上框４１によって支えることができ、障子４の強度がより向上する。また、第１のアングル７１及び第２のアングル７２によって、框体４０の仕口を容易に構成できる。
【００４９】
（５）上記実施形態では、下框４２とガラスパネル４５の下端面との間に、空間７１７が形成されるものとした。
これにより、下框４２の内部に侵入した水とガラスパネル４５とが接触するのを防ぐことができる。水とガラスパネル４５とが接触するのを防ぐことで、ガラスパネル４５のシール材が腐食するのを防ぐことができる。複層ガラスの場合には、内部結露も防ぐことができる。
【００５０】
（６）上記実施形態では、引戸１が、枠体２と上述の障子４とを備えるものとした。
これにより、強度の高い引戸１を提供することができる。
【００５１】
なお、本発明は上記実施形態に限定されるものではなく、本発明の目的を達成できる範囲での変形、改良等は本発明に含まれる。
本発明に係る建具は、引戸に限定されず、例えばＦＩＸタイプの建具に適用してもよい。
【符号の説明】
【００５２】
１…引戸（建具）
１０…開口部
２…枠体
２１…上枠
２２…上枠
２３，２３…縦枠
４…障子
４０…框体
４１…上框
４２…下框
４３…召合せ框（縦框）
４３１…召合せ框本体（縦框本体部）
４３５…支持部
４４…戸先框（縦框）
４５…ガラスパネル（面材）
７１…第１のアングル（第１金具）
７１１…一辺
７１２…他辺
７１７…空間
７２…第２のアングル（第２金具）
７２１…一辺
７２２…他辺
【図１】
2016160625.tif 000003
【図２】
2016160625.tif 000004
【図３】
2016160625.tif 000005
【図４】
2016160625.tif 000006
【図５】
2016160625.tif 000007